(57)【特許請求の範囲】
【請求項１】
標本の収容部を有する容器が載置されるステージと、
前記ステージの下方から落射照明光を照射する落射照明用光源と、
前記容器の上方を覆い、上面に前記容器の前記収容部の輪郭形状を表示する表示部を有する遮光部材と、
前記落射照明光の観察光軸と直交する面内において、前記表示部が下方に位置する前記容器の前記収容部と対応する位置に配置されるよう前記遮光部材を前記容器に対して位置決めする位置決め手段と、
前記容器において前記落射照明光が照射される領域と上下方向で対応する前記表示部の領域を指示する光を照射する指示光照射手段と、
を備えることを特徴とする倒立顕微鏡。
【請求項２】
前記遮光部材は、前記表示部の外周から下方に延在する側壁部を有し、
前記位置決め手段は、前記落射照明光の前記観察光軸と直交する面内において、前記容器の外周形状と前記遮光部材の前記側壁部の内周形状とが略一致し、前記遮光部材の前記表示部が下方に位置する前記容器の前記収容部と対応する位置に配置されるよう位置決めされる構成であることを特徴とする請求項１に記載の倒立顕微鏡。
【請求項３】
前記ステージは、
該ステージに対して前記容器を位置決めする容器位置決め手段と、
該ステージに対して前記遮光部材を位置決めする遮光部材位置決め手段と、
を有し、
前記位置決め手段は、前記容器位置決め手段と前記遮光部材位置決め手段とを含むことを特徴とする請求項１に記載の倒立顕微鏡。
【請求項４】
前記遮光部材は、前記表示部を着脱可能に保持する本体を有することを特徴とする請求項３に記載の倒立顕微鏡。
【請求項５】
前記遮光部材は、前記本体が保持することが可能な前記表示部を複数備えることを特徴とする請求項４に記載の倒立顕微鏡。
【請求項６】
前記指示光照射手段は、前記ステージに載置された前記容器に前記ステージの上方から透過照明光を照射する透過照明用光源であることを特徴とする請求項１〜５のいずれか１つに記載の倒立顕微鏡。
【請求項７】
前記透過照明光が照射される領域を調整する視野絞りを有することを特徴とする請求項６に記載の倒立顕微鏡。
【請求項８】
標本の収容部を有しステージに設置された容器に前記ステージの下方から落射照明光を照射する落射照明用光源と、
前記ステージに載置された前記容器に前記ステージの上方から透過照明光を照射する透過照明用光源と、
を備える倒立顕微鏡に取り付けられて、落射蛍光観察時に前記容器を遮光する倒立顕微鏡用遮光部材であって、
前記容器の上方を覆い、上面に前記容器の輪郭形状を表示する表示部を有し、
該表示部が、前記落射照明光の観察光軸と直交する面内において、下方に位置する前記容器の前記収容部と対応する位置に配置されるよう位置決め手段で位置決めされ、
前記容器において前記落射照明光が照射される領域と上下方向で対応する前記表示部の領域に前記透過照明光を照射されることを特徴とする倒立顕微鏡用遮光部材。
【発明の詳細な説明】
【技術分野】
【０００１】
本発明は、倒立顕微鏡及び倒立顕微鏡用遮光部材に関する。
【背景技術】
【０００２】
従来、倒立顕微鏡を用いた落射蛍光観察において、標本の蛍光像のＳＮ比を簡易的に向上させるために、倒立顕微鏡のステージ上面に簡易暗箱等の遮光部材を設置して落射蛍光観察を行う技術が知られている。簡易暗箱を用いる場合、暗室等の暗所で倒立顕微鏡を操作する場合と異なり、顕微鏡の操作部が暗くならないために操作が容易であるという利点がある。
【０００３】
特許文献１には、ステージ上を覆うように配置される遮光部材が開示されている。特許文献２には、ステージ、対物レンズ及びレボルバを含む部分を覆う遮光部材が開示されている。
【先行技術文献】
【特許文献】
【０００４】
【特許文献１】特開２００３−１８５９３２号公報
【特許文献２】特開２００２−２０７１７７号公報
【発明の概要】
【発明が解決しようとする課題】
【０００５】
しかしながら、上述した従来の顕微鏡では、遮光部材が容器の全体を覆ってしまうため、観察者が容器のどの領域を観察しているかを容易に把握することができないという課題があった。特に、容器が多数のウェルを有するマルチウェルプレートである場合には、観察者がどのウェルを観察しているかを容易に把握できないという課題があった。
【０００６】
本発明は、上記に鑑みてなされたものであって、倒立顕微鏡の落射蛍光観察を行う場合に、観察者が容器のどの領域を観察しているかを容易に把握できる倒立顕微鏡及び倒立顕微鏡用遮光部材を提供することを目的とする。
【課題を解決するための手段】
【０００７】
上述した課題を解決し、目的を達成するために、本発明の一態様に係る倒立顕微鏡は、標本の収容部を有する容器が載置されるステージと、前記ステージの下方から落射照明光を照射する落射照明用光源と、前記容器の上方を覆い、上面に前記容器の前記収容部の輪郭形状を表示する表示部を有する遮光部材と、前記落射照明光の観察光軸と直交する面内において、前記表示部が下方に位置する前記容器の前記収容部と対応する位置に配置されるよう前記遮光部材を前記容器に対して位置決めする位置決め手段と、前記容器において前記落射照明光が照射される領域と上下方向で対応する前記表示部の領域を指示する光を照射する指示光照射手段と、を備えることを特徴とする。
【０００８】
また、本発明の一態様に係る倒立顕微鏡は、前記遮光部材は、前記表示部の外周から下方に延在する側壁部を有し、前記位置決め手段は、前記落射照明光の前記観察光軸と直交する面内において、前記容器の外周形状と前記遮光部材の前記側壁部の内周形状とが略一致し、前記遮光部材の前記表示部が下方に位置する前記容器の前記収容部と対応する位置に配置されるよう位置決めされる構成であることを特徴とする。
【０００９】
また、本発明の一態様に係る倒立顕微鏡は、前記ステージは、該ステージに対して前記容器を位置決めする容器位置決め手段と、該ステージに対して前記遮光部材を位置決めする遮光部材位置決め手段と、を有し、前記位置決め手段は、前記容器位置決め手段と前記遮光部材位置決め手段とを含むことを特徴とする。
【００１０】
また、本発明の一態様に係る倒立顕微鏡は、前記遮光部材は、前記表示部を着脱可能に保持する本体を有することを特徴とする。
【００１１】
また、本発明の一態様に係る倒立顕微鏡は、前記遮光部材は、前記本体が保持することが可能な前記表示部を複数備えることを特徴とする。
【００１２】
また、本発明の一態様に係る倒立顕微鏡は、前記指示光照射手段は、前記ステージに載置された前記容器に前記ステージの上方から透過照明光を照射する透過照明用光源であることを特徴とする。
【００１３】
また、本発明の一態様に係る倒立顕微鏡は、前記透過照明光が照射される領域を調整する視野絞りを有することを特徴とする。
【００１４】
また、本発明の一態様に係る倒立顕微鏡用遮光部材は、標本の収容部を有しステージに設置された容器に前記ステージの下方から落射照明光を照射する落射照明用光源と、前記ステージに載置された前記容器に前記ステージの上方から透過照明光を照射する透過照明用光源と、を備える倒立顕微鏡に取り付けられて、落射蛍光観察時に前記容器を遮光する倒立顕微鏡用遮光部材であって、前記容器の上方を覆い、上面に前記容器の輪郭形状を表示する表示部を有し、該表示部が、前記落射照明光の観察光軸と直交する面内において、下方に位置する前記容器の前記収容部と対応する位置に配置されるよう位置決め手段で位置決めされ、前記容器において前記落射照明光が照射される領域と上下方向で対応する前記表示部の領域に前記透過照明光を照射されることを特徴とする。
【発明の効果】
【００１５】
本発明によれば、倒立顕微鏡の落射蛍光観察を行う場合に、観察者が容器のどの領域を観察しているかを容易に把握できる倒立顕微鏡及び倒立顕微鏡用遮光部材を実現することができる。
【図面の簡単な説明】
【００１６】
【図１】図１は、本発明の実施の形態１に係る倒立顕微鏡の構成を示す模式図である。
【図２】図２は、図１に示す遮光部材の斜視図である。
【図３】図３は、図２のＡ−Ａ線に対応する断面図である。
【図４】図４は、実施の形態１の変形例１に係る遮光部材の断面図である。
【図５】図５は、実施の形態１の変形例２に係る遮光部材の断面図である。
【図６】図６は、本発明の実施の形態２に係る遮光部材の斜視図である。
【図７】図７は、図６の容器と上ステージとを上方から見た図である。
【図８】図８は、図７のＢ−Ｂ線に対応する断面図である。
【図９】図９は、図６のＣ−Ｃ線に対応する断面図である。
【図１０】図１０は、実施の形態２の変形例１に係る遮光部材の表示部の模式図である。
【図１１】図１１は、実施の形態２の変形例２に係る遮光部材の表示部の模式図である。
【図１２】図１２は、容器をアダプタに載置した状態を表す図である。
【図１３】図１３は、実施の形態２の変形例３に係る遮光部材の表示部の模式図である。
【図１４】図１４は、本発明の実施の形態３に係る遮光部材の斜視図である。
【図１５】図１５は、実施の形態３の変形例１に係る遮光部材の表示部の模式図である。
【図１６】図１６は、実施の形態３の変形例２に係る遮光部材の表示部の模式図である。
【図１７】図１７は、本発明の実施の形態４に係る遮光部材の斜視図である。
【図１８】図１８は、指示光源を備える変形例の模式図である。
【発明を実施するための形態】
【００１７】
以下に、図面を参照して本発明に係る倒立顕微鏡及び倒立顕微鏡用遮光部材の実施の形態を説明する。なお、これらの実施の形態により本発明が限定されるものではない。本発明は、落射照明用光源を有し、蛍光観察を行う倒立顕微鏡一般に適用することができる。
【００１８】
また、図面の記載において、同一又は対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１９】
（実施の形態１）
図１は、本発明の実施の形態１に係る倒立顕微鏡の構成を示す模式図である。図１に示すように、実施の形態１に係る倒立顕微鏡である顕微鏡１００は、顕微鏡１００の土台をなす顕微鏡本体１０１と、標本を収容する容器２が載置されるステージ１０２と、ステージ１０２に載置された容器２にステージ１０２の下方から落射照明光を照射する落射照明用光源１０３ａを有する第１光源ユニット１０３と、ステージ１０２に載置された容器２にステージ１０２の上方から透過照明光を照射する透過照明用光源１０４ａを有する第２光源ユニット１０４と、透過照明光を標本に集光するコンデンサレンズ１０５と、第２光源ユニット１０４及びコンデンサレンズ１０５を保持するアーム１０６と、ステージ１０２の下方に配置され、標本からの光を集光する倍率の異なる複数の対物レンズ１０７と、複数の対物レンズ１０７を標本に対して交換可能に保持するレボルバ１０８と、対物レンズ１０７及びレボルバ１０８を上下動させる焦準ハンドル１０９と、落射照明光、及び標本が反射もしくは標本を透過した光の光路を切り替えるミラーユニット１１０と、ミラーユニット１１０からの光を所定の方向に反射するミラー１１１と、標本を目視で観察するための接眼部１１２と、を備える。顕微鏡１００のステージ１０２上には、標本を収容する容器２が載置され、落射蛍光観察時には容器２の側面及び上面は、遮光部材１に覆われている。顕微鏡１００の各光学素子は、落射照明光による観察光軸Ｏ１及び透過照明光による観察光軸Ｏ２に沿って、標本の観察を行うための適切な位置に配置されている。なお、観察光軸Ｏ１と観察光軸Ｏ２とは遮光部材１を介して同一直線上にある。
【００２０】
ステージ１０２は、１枚板のプレーンステージである。容器２はステージ１０２に固定されておらず、観察者は容器２を手で動かして観察する領域を調整することができる。
【００２１】
第１光源ユニット１０３の落射照明用光源１０３ａは、例えば水銀ランプ、又はＬＥＤ（Ｌｉｇｈｔ  Ｅｍｉｔｔｉｎｇ  Ｄｉｏｄｅ）である。落射照明用光源１０３ａから照射される落射照明光は、落射蛍光観察に用いられる。
【００２２】
第２光源ユニット１０４は、透過照明用光源１０４ａと、透過照明用光源１０４ａからの光を標本の方向に反射するミラー１０４ｂと、透過照明光が照射される範囲を調整する視野絞り１０４ｃと、を含む。透過照明用光源１０４ａは、例えばハロゲンランプ、又は白色ＬＥＤである。透過照明用光源１０４ａから照射される透過照明光は、透過照明観察に用いられるとともに、後述するように容器２の所定の領域を指示する指示光照射手段として用いられる。
【００２３】
ミラーユニット１１０は、例えば、励起フィルタ１１０ａと、ダイクロイックミラー１１０ｂと、バリアフィルタ１１０ｃと、を含む蛍光ミラーユニットであり、必要に応じて他のミラーユニットと交換することができる。励起フィルタ１１０ａは、落射照明用光源１０３ａから出射された出射光から励起波長に対応した光を抽出する。ダイクロイックミラー１１０ｂは、落射照明用光源１０３ａから出射され励起フィルタ１１０ａを透過した光のうち、所定波長の光を反射するとともに、標本からの光のうち、上記所定波長以外の長波長側の光を透過する。バリアフィルタ１１０ｃは、ダイクロイックミラー１１０ｂを透過した光から、標本が発する蛍光成分の光を抽出する。
【００２４】
次に、本実施の形態１に係る倒立顕微鏡用遮光部材である遮光部材１について詳細に説明する。図２は、図１に示す遮光部材の斜視図である。図３は、図２のＡ−Ａ線に対応する断面図である。
【００２５】
遮光部材１は、容器２の高さより僅かに高く底面が開口した箱形形状をなし、容器２の上面及び側面の全体を覆う。遮光部材１は、後述する容器２のウェル２ａの輪郭形状を表示する表示部としての凹部１ａと、下方に延在する側壁部１ｂとを有する。遮光部材１は、例えば遮光性を有する樹脂成形部品であり、容器２への光を遮光する。なお、遮光部材１は、凹部１ａも含めて、室内の照明等の外光だけでなく上方から照射される透過照明光も十分に遮光することが可能な厚みを有する。
【００２６】
容器２は、ガラス、プラスチック等の透明な部材からなるマルチウェルプレートであり、標本を収容する収容部としての複数のウェル２ａを有する。容器２は、ステージ１０２の開口部１０２ａ上に載置され、開口部１０２ａを介して照射された落射照明光を透過する。容器２を透過した落射照明光は、容器２内の標本に照射される。
【００２７】
ここで、この顕微鏡１００は、位置決め手段として、観察光軸Ｏ１と直交する面内において、容器２の外周形状と遮光部材１の側壁部１ｂの内周形状とが略一致し、遮光部材１の凹部１ａが下方に位置する容器２のウェル２ａと対応する位置に配置されるよう遮光部材１を容器２に対して位置決めする構成である。この位置決めされた状態において、観察光軸Ｏ１に沿った上下方向で、各凹部１ａの位置と、各ウェル２ａの位置とが一致する。
【００２８】
次に、顕微鏡１００を用いて、落射蛍光観察を行う動作について説明する。はじめに、ステージ１０２上に容器２を載置し、透過照明観察で標本の所望の領域を観察できるように位置合わせを行う。あわせて、視野絞り１０４ｃで透過照明光が照射される領域の大きさを調整する。続いて、容器２の位置がずれないように容器２に遮光部材１を被せる。このとき、図２に示すように、透過照明光の光束ＬＦが視野絞り１０４ｃにより調整されて遮光部材１に照射される。ここで、透過照明光は、遮光部材１により遮光されるため、標本に届くことはない。そして、観察光軸Ｏ１と観察光軸Ｏ２とは、遮光部材１を介して略同一の直線上に配置されているため、観察光軸Ｏ１及び観察光軸Ｏ２に沿った上下方向で、遮光部材１の透過照明光が照射された領域と、容器２の落射照明光が照射された領域（すなわち落射蛍光観察している領域）とが略一致する。そのため、観察者は、遮光部材１の透過照明光が照射された領域を目視することで、どのウェル２ａを落射蛍光観察しているかを確認することができる。
【００２９】
その後、観察者は、遮光部材１及び容器２を一体としてステージ１０２上を移動させる操作を行い、落射蛍光観察で観察するウェル２ａを変更する。この操作を行う際においても、観察光軸Ｏ１及び観察光軸Ｏ２に沿った上下方向で、遮光部材１の透過照明光が照射される領域と、容器２の落射照明光が照射される領域とが一致したままである。そのため、観察者は、どのウェル２ａを観察しているかを確認しながら観察するウェル２ａを変更することができる。従って、遮光部材１を備える顕微鏡１００は、倒立顕微鏡の落射蛍光観察を行う場合に、観察者が容器のどの領域を観察しているかを容易に把握できる倒立顕微鏡である。
【００３０】
なお、遮光部材１の側壁部の内周と容器２の外周との間には、観察光軸Ｏ１に直交する面内で凹部１ａの位置とウェル２ａの位置とが大きくずれない範囲で僅かに隙間を設けてもよい。この隙間により、容器２に遮光部材１を被せるのが容易になる。
【００３１】
また、遮光部材１を容器２に被せた状態において、遮光部材１とステージ１０２との間に僅かに隙間を設けてもよい。この隙間により、遮光部材１と容器２とを一体として移動させる場合に、遮光部材１により移動が阻害されることが防止される。
【００３２】
（実施の形態１の変形例１）
図４は、実施の形態１の変形例１に係る遮光部材の断面図である。図４に示すように、遮光部材１Ａは、蓋状をなし、容器２Ａの上面全体と側面の一部を覆う。遮光部材１Ａは、上面に容器２Ａのウェル２Ａａの輪郭形状を表示する表示部としての凹部１Ａａと、下方に延在し容器２Ａの側面の一部を覆う側壁部１Ａｂとを有する。容器２Ａは、側面が遮光性を有する樹脂からなるマルチウェルプレートであり、収容部としての複数のウェル２Ａａを有する。
【００３３】
ここで、この顕微鏡は、位置決め手段として、観察光軸Ｏ１と直交する面内において、容器２Ａの外周形状と遮光部材１Ａの側壁部１Ａｂの内周形状とが略一致し、遮光部材１Ａの凹部１Ａａが下方に位置する容器２Ａのウェル２Ａａと対応する位置に配置されるよう位置決めされる構成である。この位置決めされた状態において、観察光軸Ｏ１に沿った上下方向で、各凹部１Ａａの位置と、各ウェル２Ａａの位置とが一致する。そのため、この遮光部材１Ａによれば、観察者は、遮光部材１Ａの透過照明光が照射された領域を目視することで、どのウェル２Ａａを落射蛍光観察しているかを確認することができる。
【００３４】
（実施の形態１の変形例２）
図５は、実施の形態１の変形例２に係る遮光部材の断面図である。図５に示すように、遮光部材１Ｂは、上面に容器２Ｂの輪郭形状を表示する表示部としての凹部１Ｂａと、下方に延在する側壁部１Ｂｂとを有する。容器２Ｂは、観察光軸Ｏ１に直交する面内では円形形状をなすディッシュであり、内側に標本を収容する収容部２Ｂａが形成されている。
【００３５】
ここで、この顕微鏡は、位置決め手段として、観察光軸Ｏ１と直交する面内において、容器２Ｂの外周形状と遮光部材１Ｂの側壁部１Ｂｂの内周形状とが略一致し、遮光部材１Ｂの凹部１Ｂａが下方に位置する容器２Ｂの収容部２Ｂａと対応する位置に配置されるよう位置決めされる構成である。この位置決めされた状態において、観察光軸Ｏ１に沿った上下方向で、遮光部材１Ｂの凹部１Ｂａの位置と、容器２Ｂの収容部２Ｂａの位置とが一致する。そのため、この遮光部材１Ｂによれば、観察者は、遮光部材１Ｂの凹部１Ｂａの透過照明光が照射された領域を目視することで、容器２Ｂの収容部２Ｂａのどの領域を落射蛍光観察しているかを確認することができる。
【００３６】
なお、容器２Ｂが蓋付きのディッシュである場合、観察光軸Ｏ１と直交する面内において、蓋の外周形状と遮光部材１Ｂの側壁部の内周形状とを一致させる構成としてもよい。この場合、蓋を取り外すことなく容器２Ｂを遮光することができる。
【００３７】
（実施の形態２）
図６は、本発明の実施の形態２に係る遮光部材の斜視図である。実施の形態２に係る顕微鏡は、ステージ２０２、遮光部材１１と、容器１２と、容器１２をステージ２０２に対して位置決めするクレンメル２１３と、を備える。これら以外の構成は、実施の形態１に係る顕微鏡１００と同様であるので、適宜説明を省略する。
【００３８】
ステージ２０２は、重ねて配置された３枚のステージからなり、載置された容器１２を観察光軸Ｏ１に直交する面内で、直交する２方向に移動させることができる。ステージ２０２の最上層に位置する上ステージ２０２ａには、嵌合穴２０２ｂ及び長穴２０２ｃが形成されている。また、ステージ２０２は、観察光軸Ｏ１の方向に沿って上方に突出し、容器１２の側面と当接する当て付け部２０２ｄを有する。なお、ステージ２０２は、載置された容器１２を観察光軸Ｏ１に直交する面内で移動可能なメカニカルステージであってもよい。
【００３９】
図７は、図６の容器と上ステージとを上方から見た図である。図８は、図７のＢ−Ｂ線に対応する断面図である。クレンメル２１３は、図７に示すように容器１２に当接する押さえ２１３ａと、押さえ２１３ａを回転可能に支持する軸２１３ｂとを有する。さらに、押さえ２１３ａは、不図示のねじりコイルバネにより軸２１３ｂを中心に図７の反時計回りの方向に付勢されている。図８に示すように、軸２１３ｂの先端にはネジ２１３ｂａが形成されており、ステージ２０２に固定される。
【００４０】
図９は、図６のＣ−Ｃ線に対応する断面図である。遮光部材１１は、底面及び上面が開口した本体１１ａと、本体１１ａの上面の開口部を覆う表示部１１ｂとからなる箱形形状をなす。
【００４１】
本体１１ａは、側壁の底面から下方に延伸する円柱形状の突起部１１ａａ及び突起部１１ａｂを有する。さらに、本体１１ａの内壁面１１ａｃには、内側に向かって突出する突出部１１ａｄが形成されており、突出部１１ａｄに載置された表示部１１ｂを着脱可能に保持する。
【００４２】
表示部１１ｂは、各ウェル１２ａに対応するように配置された複数の凹部１１ｂａを有し、容器１２のウェル１２ａの輪郭形状を表示する。表示部１１ｂの外周形状は、本体１１ａの内壁面１１ａｃの形状と略一致する形状をなす。また、表示部１１ｂの凹部１１ｂａが形成された面には、外側に突出し、表示部１１ｂを操作する際に持ち手となる取手部１１ｂｂが形成されている。
【００４３】
本体１１ａ及び表示部１１ｂは、遮光性を有する樹脂成形部品であり、内部に収容した容器１２への光を遮光する。
【００４４】
容器１２は、ガラス、プラスチック等の透明な部材からなるマルチウェルプレートであり、標本を収容する収容部として複数のウェル１２ａを有する。
【００４５】
ここで、クレンメル２１３及びステージ２０２の当て付け部２０２ｄは、容器１２をステージ２０２に対して位置決めする容器位置決め手段を構成する。具体的には、まずステージ２０２に載置された容器１２が、図７の反時計回りの方向に付勢されたクレンメル２１３に当接する。容器１２は、クレンメル２１３から加えられた力により、当て付け部２０２ｄの直交する２方向に延伸する壁面に押し当てられる。その結果、容器１２は、上ステージ２０２ａの主面と平行な面内においてステージ２０２に対して位置決めされる。
【００４６】
さらに、遮光部材１１の本体１１ａの突起部１１ａａ及び突起部１１ａｂと、ステージ２０２の嵌合穴２０２ｂ及び長穴２０２ｃとは、遮光部材１１をステージ２０２に対して位置決めする遮光部材位置決め手段を構成する。具体的には、本体１１ａの突起部１１ａａ及び突起部１１ａｂが、それぞれ嵌合穴２０２ｂ及び長穴２０２ｃに嵌合することにより、遮光部材１１がステージ２０２に対して位置決めされる。なお、長穴２０２ｃは、上ステージ２０２ａの主面と平行な方向に延伸することにより、製造時の誤差で突起部と穴との嵌合が困難になることを防止する。
【００４７】
この容器位置決め手段と遮光部材位置決め手段とを含む位置決め手段により、観察光軸Ｏ１と直交する面内において、表示部１１ｂがステージ２０２を介して下方に位置する容器１２のウェル１２ａと対応する位置に配置されるように遮光部材１１を容器１２に対して位置決めする。この位置決めされた状態において、観察光軸Ｏ１に沿った上下方向で、各凹部１１ｂａの位置と、各ウェル１２ａの位置とが一致する。そのため、この遮光部材１１によれば、観察者は、遮光部材１１の透過照明光が照射された領域を目視することで、どのウェル１２ａを落射蛍光観察しているかを確認することができる。従って、遮光部材１１は、倒立顕微鏡の落射蛍光観察を行う場合に、観察者が容器のどの領域を観察しているかを容易に把握できる倒立顕微鏡用遮光部材である。
【００４８】
なお、遮光部材１１によれば、本体１１ａから表示部１１ｂを取り外すことで、容易に落射蛍光観察から透過照明観察への切り替えを行うことができる。
【００４９】
（実施の形態２の変形例１）
図１０は、実施の形態２の変形例１に係る遮光部材の表示部の模式図である。図１０に示すように、表示部１１Ａｂは、実施の形態２に係る表示部１１ｂの凹部１１ｂａとは個数や配置、大きさ等が異なる凹部１１Ａｂａを有する。この凹部１１Ａｂａは、凹部１１Ａｂａと対応する輪郭形状のウェルを有するマルチウェルプレートに対して用いることができる。表示部１１Ａｂの凹部１１Ａｂａが形成された面には、外側に突出し、表示部１１Ａｂを操作する際に持ち手となる取手部１１Ａｂｂが形成されている。
【００５０】
実施の形態２の表示部１１ｂや、実施の形態２の変形例１の表示部１１Ａｂのように、顕微鏡は、本体が保持することが可能な表示部を複数備えていてもよい。複数の表示部を備える顕微鏡では、容器の収容部の輪郭形状に対応する表示部を選択して本体に設置することにより、汎用性のある顕微鏡を実現することができる。
【００５１】
（実施の形態２の変形例２）
図１１は、実施の形態２の変形例２に係る遮光部材の表示部の模式図である。図１１に示すように、表示部１１Ｂｂは、円形のディッシュの輪郭形状に対応する円形の凹部１１Ｂｂａを有する。また、表示部１１Ｂｂには、凹部１１Ｂｂａの中央位置を示す直線であるガイド１１Ｂｂｃがプリントされていてもよい。表示部１１Ｂｂの凹部１１Ｂｂａが形成された面には、外側に突出し、表示部１１Ｂｂを操作する際に持ち手となる取手部１１Ｂｂｂが形成されている。
【００５２】
図１２は、容器をアダプタに載置した状態を表す図である。容器１２Ｂは、内側に標本を収容する収容部１２Ｂａが形成された円形のディッシュである。アダプタ１３は、クレンメル２１３と当て付け部２０２ｄによりステージ２０２に対して位置決めされる。アダプタ１３は、中央に容器１２Ｂの外形と一致する形状の窪みを有する。この窪みに嵌まるように容器１２Ｂがアダプタ１３に載置されると、容器１２Ｂがアダプタ１３を介してステージ２０２に対して位置決めされる。その結果、ステージ２０２を介して表示部１１Ｂｂの凹部１１Ｂｂａと容器１２Ｂの収容部１２Ｂａとが位置決めされる。
【００５３】
（実施の形態２の変形例３）
図１３は、実施の形態２の変形例３に係る遮光部材の表示部の模式図である。図１３に示すように、表示部１１Ｃｂには、表示部１１Ｃｂの中央位置を示す直線であるガイド１１Ｃｂｂがプリントされており、観察者が表示部１１Ｃｂに使用する容器の標本を収容する収容部の輪郭形状をペン等で描くことができる。表示部１１Ｃｂのガイド１１Ｃｂｂがプリントされた面には、外側に突出し、表示部１１Ｃｂを操作する際に持ち手となる取手部１１Ｃｂａが形成されている。
【００５４】
表示部１１Ｃｂによれば、表示部に任意の形状を描ける構成とすることで、より汎用性の高い遮光部材を実現することができる。
【００５５】
（実施の形態３）
図１４は、本発明の実施の形態３に係る遮光部材の斜視図である。実施の形態３に係る顕微鏡は、本体２１ａ及び表示部２１ｂの形状を除いて、実施の形態２に係る遮光部材１１と同様の構成を備えるので、適宜説明を省略する。
【００５６】
遮光部材２１は、底面が開口するとともに上面から１つの側面にかけて開口している本体２１ａと、本体２１ａの上面から側面にかけて形成された開口部を覆う表示部２１ｂとからなり、内部に容器を収容する箱形形状をなす。
【００５７】
表示部２１ｂは、上面に例えばマルチウェルプレートである容器の収容部としてのウェルの輪郭形状を表示する表示部である。表示部２１ｂは、各ウェルに対応するように配置された複数の凹部２１ｂａを有する。表示部２１ｂの外周形状は、本体２１ａの開口部の形状と略一致するようにＬ字形状をなす。また、表示部２１ｂの凹部２１ｂａが形成された面には、外側に突出し、表示部２１ｂを操作する際に持ち手となる取手部２１ｂｂが形成されている。
【００５８】
本体２１ａ及び表示部２１ｂは、例えば遮光性を有する樹脂成形部品であり、内部に収容した容器への光を遮光する。
【００５９】
ここで、実施の形態２と同様に、観察光軸Ｏ１と直交する面内において、表示部２１ｂがステージを介して下方に位置する容器のウェルと対応する位置に配置されるように遮光部材２１を容器に対して位置決めする。この位置決めされた状態において、観察光軸Ｏ１に沿った上下方向で、各凹部２１ｂａの位置と、各ウェルの位置とが一致する。そのため、この遮光部材２１によれば、観察者は、遮光部材２１の透過照明光が照射された領域を目視することで、どのウェルを落射蛍光観察しているかを確認することができる。従って、遮光部材２１は、倒立顕微鏡の落射蛍光観察を行う場合に、観察者が容器のどの領域を観察しているかを容易に把握できる倒立顕微鏡用遮光部材である。
【００６０】
この遮光部材２１のように、遮光部材２１の本体２１ａに形成された開口部及び表示部２１ｂの形状は特に限定されない。この遮光部材２１では、本体２１ａの観察者側の側面が開口していることにより、遮光部材２１をステージから取り外すことなく容器の交換やマニピュレータを用いた操作等を行うことができる。
【００６１】
（実施の形態３の変形例１）
図１５は、実施の形態３の変形例１に係る遮光部材の表示部の模式図である。図１５に示すように、表示部２１Ａｂは、上面に例えばマルチウェルプレートである容器のウェルの輪郭形状を表示する表示部であり、各ウェルに対応するように配置された複数の凹部２１Ａｂａを有する。さらに、表示部２１Ａｂは、両側に２つの取手部２１Ａｂｂを有する。その結果、表示部２１Ａｂの操作が容易になる。
【００６２】
実施の形態３においては、取手部の取り付け位置や数は特に限定されない。
【００６３】
（実施の形態３の変形例２）
図１６は、実施の形態３の変形例２に係る遮光部材の表示部の模式図である。図１６に示すように、表示部２１Ｂｂは、上面に例えばマルチウェルプレートである容器のウェルの輪郭形状を表示する表示部であり、各ウェルに対応するように配置された複数の凹部２１Ｂｂａを有する。さらに、表示部２１Ｂｂは、両側に２つのつまみ部２１Ｂｂｂを有する。その結果、表示部２１Ｂｂの操作が容易になる。
【００６４】
実施の形態３においては、持ち手の形状は特に限定されない。
【００６５】
（実施の形態４）
図１７は、本発明の実施の形態４に係る遮光部材の斜視図である。実施の形態４に係る顕微鏡では、実施の形態２に係る遮光部材１１の本体１１ａと表示部１１ｂとが遮光部材３１として一体に形成されている。
【００６６】
遮光部材３１は、上面に例えばマルチウェルプレートである容器の収容部としてのウェルの輪郭形状を表示する表示部であり、各ウェルに対応するように配置された複数の凹部３１ａを有する。
【００６７】
ここで、実施の形態２と同様に、観察光軸Ｏ１と直交する面内において、凹部３１ａがステージを介して下方に位置する容器のウェルと対応する位置に配置されるように位置決めされる。この位置決めされた状態において、観察光軸Ｏ１に沿った上下方向で、各凹部３１ａの位置と、各ウェルの位置とが一致する。そのため、この遮光部材３１によれば、観察者は、遮光部材３１の透過照明光が照射された領域を目視することで、どのウェルを落射蛍光観察しているかを確認することができる。従って、遮光部材３１は、倒立顕微鏡の落射蛍光観察を行う場合に、観察者が容器のどの領域を観察しているかを容易に把握できる倒立顕微鏡用遮光部材である。
【００６８】
遮光部材３１のように遮光部材は一部材で形成されていてもよく、この構成では、部材数を減らすことで製造コストを削減することができる。
【００６９】
なお、上記実施の形態では、透過照明光を指示光照射手段として用いる構成について説明したが、これに限られない。図１８は、指示光源を備える変形例の模式図である。図１８に示すように、顕微鏡１００Ａは、ステージ１０２の上方に取り付けられた保持部１１３と、保持部１１３に保持された指示光源１１４と、を備える。指示光源１１４は、例えば円筒形状のＬＥＤポインターである指示光用光源１１４ａを有する。指示光用光源１１４ａから出射された光は、指示光軸ＯＡ１に沿って容器２が落射照明光を照射される領域に対応する遮光部材１の上面の所定の領域に照射される。この構成によれば、観察者は、遮光部材の指示光源１１４が照射された領域を目視することで、容器のどの領域を落射蛍光観察しているかを確認することができる。
【００７０】
また、上記実施の形態では、表示部として凹部を有する構成について説明したが、これに限られない。表示部は、容器の収容部の輪郭形状を表示する機能があればよく、例えば容器の収容部の輪郭形状に対応する凸部やペイントであってよい。また、表示部が２色の互いに異なる色の樹脂からなり、その２色の樹脂の配置が容器の収容部の輪郭形状に対応する構成であってもよい。
【００７１】
さらなる効果や変形例は、当業者によって容易に導き出すことができる。よって、本発明のより広範な態様は、以上のように表わしかつ記述した特定の詳細及び代表的な実施形態に限定されるものではない。従って、添付のクレーム及びその均等物によって定義される総括的な発明の概念の精神又は範囲から逸脱することなく、様々な変更が可能である。
【符号の説明】
【００７２】
１、１Ａ、１Ｂ、１１、２１、３１  遮光部材
１ａ、１Ａａ、１Ｂａ、１１ｂａ、１１Ａｂａ、１１Ｂｂａ、２１ｂａ、２１Ａｂａ、２１Ｂｂａ、３１ａ  凹部
１ｂ、１Ａｂ、１Ｂｂ  側壁部
２、２Ａ、２Ｂ、１２、１２Ｂ  容器
２ａ、２Ａａ、１２ａ  ウェル
２Ｂａ、１２Ｂａ  収容部
１１ａ、２１ａ  本体
１１ａａ、１１ａｂ  突起部
１１ａｃ  内壁面
１１ａｄ  突出部
１１ｂ、１１Ａｂ、１１Ｂｂ、１１Ｃｂ、２１ｂ、２１Ａｂ、２１Ｂｂ  表示部
１１ｂｂ、１１Ａｂｂ、１１Ｂｂｂ、１１Ｃｂａ、２１ｂｂ、２１Ａｂｂ  取手部
１１Ｂｂｃ、１１Ｃｂｂ  ガイド
１０２ａ  開口部
１３  アダプタ
２１Ｂｂｂ  つまみ部
１００、１００Ａ  顕微鏡
１０１  顕微鏡本体
１０２、２０２  ステージ
１０３  第１光源ユニット
１０３ａ  落射照明用光源
１０４  第２光源ユニット
１０４ａ  透過照明用光源
１０４ｂ、１１１  ミラー
１０４ｃ  視野絞り
１０５  コンデンサレンズ
１０６  アーム
１０７  対物レンズ
１０８  レボルバ
１０９  焦準ハンドル
１１０  ミラーユニット
１１０ａ  励起フィルタ
１１０ｂ  ダイクロイックミラー
１１０ｃ  バリアフィルタ
１１２  接眼部
１１３  保持部
１１４  指示光源
１１４ａ  指示光用光源
２０２ａ  上ステージ
２０２ｂ  嵌合穴
２０２ｃ  長穴
２０２ｄ  当て付け部
２１３  クレンメル
２１３ａ  押さえ
２１３ｂ  軸
２１３ｂａ  ネジ
Ｏ１、Ｏ２  観察光軸
ＯＡ１  指示光軸
ＬＦ  光束
【図１】
0006534332.tif 000002
【図２】
0006534332.tif 000003
【図３】
0006534332.tif 000004
【図４】
0006534332.tif 000005
【図５】
0006534332.tif 000006
【図６】
0006534332.tif 000007
【図７】
0006534332.tif 000008
【図８】
0006534332.tif 000009
【図９】
0006534332.tif 000010
【図１０】
0006534332.tif 000011
【図１１】
0006534332.tif 000012
【図１２】
0006534332.tif 000013
【図１３】
0006534332.tif 000014
【図１４】
0006534332.tif 000015
【図１５】
0006534332.tif 000016
【図１６】
0006534332.tif 000017
【図１７】
0006534332.tif 000018
【図１８】
0006534332.tif 000019